(57)【特許請求の範囲】
【請求項１】
複数のワイヤが交差するように編まれて外周面が網状に構成され、内部は、中空の円筒状の本体部；及び
前記本体部の外周面に結合され、前記本体部の外周面の方向に突出した一つ以上の突出部；を含んでなり、
前記突出部は、
前記本体部をなすワイヤと結合され、前記本体部の外周面の長さ方向の一方向に傾いて突出する第１突起；及び
前記本体部をなす他のワイヤと結合され、前記本体部の外周面の長さ方向の他方向に傾いて突出する第２突起；を含み、
前記第１及び第２突起は交差して形成されることを特徴とする、部分突出型二重壁構造ステント。
【請求項２】
前記本体部内周面を包むカバー部；をさらに含むことを特徴とする、請求項１に記載の部分突出型二重壁構造ステント。
【発明の詳細な説明】
【技術分野】
【０００１】
本発明は、部分突出型二重壁構造ステントに関する。
【背景技術】
【０００２】
一般に、ステント（Ｓｔｅｎｔ）は狭窄によって狭くなった通路を確張するのに使われる内腔拡張器具で、癌疾患または血管疾患の治療のための用途に多く使われている。
【０００３】
このようなステントは、通常体内の肺、血管、胆管、大腸、食道などの狭窄した導管に挿入され、狭くなった通路を拡張して維持させるが、従来のステントは体内の導管内で流れる流動物の外力や圧力によって、固定状態を維持することができずに最初の位置を離脱する可能性があった。
【発明の概要】
【発明が解決しようとする課題】
【０００４】
本発明は、体内の導管内でステントがうまく固定及び維持されるようにする技術を提供することを目的とする。
【課題を解決するための手段】
【０００５】
このような目的を達成するために、本発明の一態様による部分突出型二重壁構造ステントは、複数のワイヤが交差するように編まれて外周面が網状に構成され、内部は、中空の円筒状を持つ本体部；及び前記本体部の外周面に結合され、前記本体部の外周面の方向に突出した一つ以上の突出部；を含んでなることを特徴とする。
また、前記突出部は、前記本体部をなすワイヤと結合され、前記本体部の外周面に一方向に傾いて突出する第１突起；及び前記本体部をなす他のワイヤと結合され、前記本体部の外周面に他方向に傾いて突出する第２突起；を含み、前記第１及び第２突起は交差して形成されることを特徴とする。
【０００６】
そして、前記本体部内周面を包むカバー部；をさらに含むことを特徴とする。
【発明の効果】
【０００７】
以上説明したように、本発明によれば、突出部の第１及び第２突起が互いに異なる方向に傾いて突出され、交差していることにより、部分突出型二重壁構造ステントが体内の導管内で左右側方向の外力によって搖れないで堅く固定されるようにする効果がある。
【０００８】
そして、突出部の個数を状況によって調節して設置することができるので、製造工程が単純になり、それによって製造コストが節減される効果がある。
【０００９】
また、本体部と結合されたカバー部は病変部位が部分突出型二重壁構造ステントの内部に侵透することができないように遮断することにより、病変部位による再狭窄を防止する効果がある。
【図面の簡単な説明】
【００１０】
【図１】本発明による部分突出型二重壁構造ステントの斜視図である。
【図２】本発明による部分突出型二重壁構造ステントの分解斜視図である。
【発明を実施するための形態】
【００１１】
本発明の好適な実施例につき、添付図面を参照してより具体的に説明し、既に知られた周知の技術的部分は、説明の簡潔のために省略するか概説する。
【００１２】
本発明による部分突出型二重壁構造ステント１０は、本体部１００、突出部２００、及びカバー部３００を含んでなるもので、図１及び図２に基づいて説明する。
【００１３】
本体部１００は、複数の金属ワイヤが互いに編まれて中空の円筒状を成す部分である。ここで、金属ワイヤはジグザグ状に互いに交差して編まれて全体として網構造をなす。
【００１４】
本体部１００が体内の導管内壁に挿入されて狭窄した内壁を拡張及び固定させる役目をすることを考慮して、金属ワイヤの材質はニッケル−チタン合金などの形状記憶合金用素材からなることが好ましい。
【００１５】
突出部２００は本体部の外周面をなしている金属ワイヤに結合され、本体部の外周面の方向に突出した金属ワイヤである。すなわち、突出部２００は体内の導管に挿入された本体部１００が導管内壁から離脱しないように導管の内壁と摩擦力を形成する。
【００１６】
また、突出部２００は大別して第１突起２１０及び第２突起２２０からなっている。
【００１７】
第１突起２１０は本体部１００をなすワイヤと結合され、本体部の外周面の一方向に傾いて突出したワイヤである。すなわち、第１突起２１０は本体部１００の一側をなす任意のワイヤと結合され、本体部の外周面から特定方向に突出することにより、導管内で作用することができる外力に対する抵抗力を本体部１００が持つようにする。
【００１８】
例えば、第１突起２１０が本体部の外周面から右側方向に傾いて突出する場合、第１突起２１０は導管の内壁と摩擦力を形成することにより、本体部１００の右側から加わる外力や圧力に対して抵抗力があるので、本体部１００を固定することができる。
【００１９】
第２突起２２０は本体部１００をなす他のワイヤと結合され、前記本体部の外周面から他方向に傾いて突出したワイヤである。すなわち、第２突起２２０は本体部１００の一側をなす他のワイヤと結合され、本体部の外周面から第１突起２１０とは異なる方向に突出することにより、導管内で作用することができる外力に対する抵抗力を本体部１００が持つようにする。
【００２０】
例えば、第２突起２２０が本体部の外周面から左側方向に傾いて突出する場合、第２突起２２０は導管の内壁と摩擦力を形成することにより、本体部１００の左側から加わる外力や圧力に対して抵抗力があるので、本体部１００を固定することができる。
【００２１】
突出部２００をなすものが第１突起２１０のみであれば、第１突起２１０のみによっては左側から加わる外力や圧力に対して十分な抵抗力を持つことができないので、本体部１００が導管内にうまく固定できない可能性がある。
【００２２】
これにより、本体部１００をなす他のワイヤと結合され、前記本体部の外周面から他方向に傾いて突出する第２突起２２０を本体部１００に結合させることが好ましい。
【００２３】
また、本体部１００と導管内壁間の摩擦力を極大化させて本体部１００が導管内で固定及び維持されるようにするために、第１突起２１０及び第２突起２２０は交差して形成される。ここで、第１突起２１０及び第２突起２２０は本体部１００をなすワイヤとは別に存在するワイヤで、本体部１００をなすワイヤと結合される。すなわち、第１突起２１０及び第２突起２２０は本体部１００とは独立した構造を持つ。
【００２４】
したがって、本発明による部分突出型二重壁構造ステント１０は、第１突起２１０及び第２突起２２０に外力が加わる場合にも本体部１００の形状が変形しないので、体内で安定的にステントを固定することができる。
【００２５】
本発明の一実施例においては、本体部の外周面の上下部位にそれぞれ突出部２００を構成したが、使用者の必要によって突出部２００の個数または位置を調節することもできる。
【００２６】
一方、本発明の一実施例においては、第１及び第２突起２１０、２２０の形態がそれぞれジグザグ状に延設されているが、状況によって突出部２００を構成する突起の形態が一方向に延設されることもできる。
【００２７】
カバー部３００は内部通路を形成するように中空の円筒状に備えられ、このようなカバー部３００の材質は医療用ポリウレタン（Ｐｏｌｙｕｒｅｔｈａｎｅ）、シリコンウレタン共重合体（Ｓｉｌｉｃｏｎ−ｕｒｅｔｈａｎｅ  ｃｏｐｏｌｙｍｅｒ）、シリコン（Ｓｉｌｉｃｏｎ）、ポリアミド（Ｐｏｌｙａｍｉｄｅ）、ポリエステル（Ｐｏｌｙｅｓｔｅｒ）またはフッ素樹脂などであることができる。
【００２８】
本発明の一実施例においては、カバー部３００が本体部の内周面を包む形態を取り、本体部１００と突出部２００の間の空間を区分する役目をする。すなわち、カバー部３００は本体部の内周面で各金属ワイヤを凸状に被覆し、本体部の外周面で各金属ワイヤを凹状に被覆する形態を取る。
【００２９】
前述したように、本発明についての具体的な説明は、添付図面を参照した実施例に基づいてなされたが、前述した実施例は本発明の好適な例を挙げて説明したのみであり、本発明は、前記の実施例に限られるように理解されるべきものではなく、本発明の権利範囲は、後述する請求範囲及びその等価の概念に理解されなければならない。
【図１】
0005895068.tif 000002
【図２】
0005895068.tif 000003